(57)【特許請求の範囲】
【請求項１】
壁体の複数箇所に、壁裏面側に配設された照明器具からの光が透過する照明用の開口部を形成し、各開口部に、閉じ姿勢で壁面の一部を構成する開閉操作自在な非透光性の可動壁部を設け、
前記可動壁部の周縁と壁体の開口部との間の少なくとも一部に、可動壁部が閉じ姿勢にある状態で照明器具からの光の透過を許容する照明用の透光部が形成され、
前記可動壁部の少なくとも一つが、開き姿勢に操作されたとき、閉じ姿勢の壁面構成形態から家具を構成する家具構成形態に切替えられるように構成されている壁構造。
【請求項２】
前記可動壁部を閉じ姿勢にしたとき、その閉じ姿勢の可動壁部の周縁と壁体の開口部の周縁との間に開口部の一部からなる貫通穴が前記透光部として形成されるように構成されている請求項１記載の壁構造。
【請求項３】
壁体の内部空間の底部に配設された前記照明器具からの光が前記開口部の各々を透過するように構成されている請求項１又は２記載の壁構造。
【発明の詳細な説明】
【０００１】
【発明の属する技術分野】
本発明は、部屋の主要構成要素である仕切壁や固定壁等の壁面を利用した照明技術の改良に関する。
【０００２】
【従来の技術】
部屋を照明する場合、一般的には、天井又は壁面に照明器具を直接取付けて、部屋を直接照明する方向が採られている。この場合、照明器具に備えられた調光装置の操作によって、生活に合わせた複数の照明シーンを現出することができるものであっても、照明器具が取付けられた特定箇所を中心とした照明形態であるため、その変化に自ずと限界があり、照明が単調になり易い。
【０００３】
そこで、部屋照明の単調化を抑制する方法として、従来では、壁体に、室内側に開口するクローゼット等の収納部を形成し、この収納部の開口に、閉止時に壁面の一部を構成する状態で左右一対の観音開き形式の扉を取付けるとともに、前記収納部内の天板には、開口から直接見えない状態で照明器具を配設し、更に、両扉の開閉操作を検出するリミットスイッチの検出信号に基いて照明器具を点灯、消灯制御するように構成したものが提案されている（例えば、実開平１０−１８５７３号公報参照）。
【０００４】
【発明が解決しようとする課題】
従来の壁構造では、両扉を開き操作したとき、それに基いて収納部内の照明器具が点灯されるものの、それは、収納部内での照明が主体で、収納部の開口を通して部屋を間接照明する考えはなく、しかも、壁面に構成される収納部は一つだけであるため、この収納部の間接照明だけでは部屋に与える変化が少なく、通常、扉を閉めた状態で部屋の照明器具だけを使用するのが一般的である。
【０００５】
本発明は、上述の実状に鑑みて為されたものであって、その主たる課題は、部屋の主要構成要素の一つである大きな表面積を有する壁体の一部を利用した簡単な操作をもって、部屋の空間全体に照明を創作的に取り込むことができ、しかも、人の行動に密着して明かりを自由にかつ微妙に変化させることのできる壁構造を提供する点にある。
【０００６】
【課題を解決するための手段】
壁構造において、壁体の複数箇所に、壁裏面側に配設された照明器具からの光が透過する開口部を形成し、各開口部に、壁面の一部を構成する開閉操作自在な可動壁部を設けてもよい。
【０００７】
上記構成によれば、壁体に設けた複数の可動壁部を開き操作すると、壁裏面側に配設された照明器具からの光が開口部を通して照射されるとともに、その一部が可動壁部に当り、その当り角度によって違った明るさの間接照明となり、しかも、可動壁部の操作に連れて部屋の空間性と明るさが変化する。
【０００８】
更に、人によって操作する可動壁部の数や操作量が異なるため、人それぞれの好みや慣性に基いた雰囲気の異なる照明形態を容易に現出することができる。
【０００９】
従って、壁体の複数箇所に配設した可動壁部を動かすといった極めて簡単な操作でありながら、壁面の複数箇所での動的変化を利用して部屋の空間全体に照明を創作的に取り込むことができ、しかも、人の行動に密着して部屋の明かりを自由にかつ微妙に変化させることができる。
【００１０】
また、前記可動壁部の少なくとも一つが、開き姿勢に操作されたとき、壁面構成形態とは用途の異なる他の使用形態に切替えられるように構成されていてもよい。
【００１１】
上記構成によれば、開き姿勢に操作された少なくとも一つの可動壁部が、壁面構成形態とは用途の異なる使用形態に切り替えられるから、可動壁部の他目的化を図ることができるばかりでなく、人の好みによって動かされる可動壁部の頻度が、開き姿勢にある可動壁部の使用形態によって更に変化し、より人の行動に密着して部屋の明かりを自由にかつ微妙に変化させることができる。
【００１２】
本発明の請求項１による壁構造の特徴構成は、壁体の複数箇所に、壁裏面側に配設された照明器具からの光が透過する照明用の開口部を形成し、各開口部に、閉じ姿勢で壁面の一部を構成する開閉操作自在な非透光性の可動壁部を設け、前記可動壁部の周縁と壁体の開口部との間の少なくとも一部に、可動壁部が閉じ姿勢にある状態で照明器具からの光の透過を許容する照明用の透光部が形成され、
前記可動壁部の少なくとも一つが、開き姿勢に操作されたとき、閉じ姿勢の壁面構成形態から家具を構成する家具構成形態に切替えられるように構成されている点にある。
【００１３】
上記特徴構成によれば、可動壁部が閉じ姿勢にあるときでも、可動壁部の周縁と壁体の開口部との間の少なくとも一部に形成された透光部を通して、照明器具の光りが透過するから、その局部的な照明自体が部屋の雰囲気を左右する一つの選択的要素になるばかりでなく、この局部的な照明によって各可動壁部の存在感と共にそれらの各位置、大きさも強く認識させることができ、自分の好みに近い部屋の明かりを容易に現出することができる。
本発明の請求項２による壁構造の特徴構成は、前記可動壁部を閉じ姿勢にしたとき、その閉じ姿勢の可動壁部の周縁と壁体の開口部の周縁との間に開口部の一部からなる貫通穴が前記透光部として形成されるように構成されている点にある。
本発明の請求項３による壁構造の特徴構成は、壁体の内部空間の底部に配設された前記照明器具からの光が前記開口部の各々を透過するように構成されている点にある。
【００１４】
また、前記透光部が、閉じ姿勢にある可動壁部の周縁と壁体の開口部との間の少なくとも一部に形成された指掛け可能な貫通穴から構成されている点にある。
【００１５】
上記構成によれば、閉じ姿勢にある可動壁部を開き操作する際、この可動壁部の周縁と壁体の開口部との間の少なくとも一部に形成された貫通穴から漏れる光を、指掛け操作のための誘導光に利用することができるとともに、貫通穴自体を操作凹部に兼用することができるから、構造の簡素化を図りながら所望の可動壁部を確実、容易に開閉操作することができる。
【００１６】
また、前記貫通穴が、可動壁部の周縁に沿ってストライプ状に形成されていてもよい。
【００１７】
上記構成によれば、可動壁部が閉じ姿勢にあるとき、可動壁部の周縁に沿って貫通穴がストライプ状に表れるから、各可動壁部の存在感と共にそれらの各位置、大きさをより強く認識させることができ、自分の好みに近い部屋の明かりを容易に現出することができる。
【００１８】
また、前記可動壁部が開き姿勢にあるときの使用形態が、テーブル板、腰掛け用座板、棚板等の家具又は建具構成形態から構成されていてもよい。
【００１９】
上記構成によれば、人の好みによって動かされる可動壁部の頻度が、テーブル板、腰掛け用座板、棚板等の家具又は建具構成形態によって変化し、より人の行動に密着して部屋の明かりを自由にかつ微妙に変化させることができる。
【００２０】
【発明の実施の形態】
〔第１実施形態〕
図１〜図９は、部屋の主要構成要素である壁体Ｗを、自立可能な二つの壁パネルＷ１，Ｗ2 と、それらよりも壁厚の薄い第３壁パネルＷ３とから構成してある壁構造を示し、そのうち、第１・第２壁パネルＷ１、Ｗ２の各々は、垂木等で枠組みした構造体１の表面に、化粧合板（例えば、軽量化に優れたシナランバーコアボード）等の内壁板２を取付けるとともに、構造体１の裏面には、ベニア等の外壁板３を取付け、更に、構造体１の天井面には、ベニア等の天板４を取付けて構成されているとともに、他の第３壁パネルＷ３に形成された開口部７の一例である出入口部7 Ｐには、縦軸芯Ｙ周りで回転操作自在な回転扉Ｄが設けられている。
【００２１】
また、壁裏面側である第１・第２壁パネルＷ１、Ｗ２の壁内部空間Ｓの底部には、照明器具５を構成する複数個のミニレフランプが上向き姿勢でパネル幅方向に沿って所定ピッチで配設されているとともに、このミニレフランプ５群の上部には、光を上方に均一に拡散させるための乳白色のアクリル樹脂製のランプカバー１２が設けられている。
【００２２】
更に、前記内壁板２と外壁板３とのうち、少なくとも外壁板３の内面には、照明を引き立てる効果を発揮するために白色の塗装が施されているとともに、前記天板４の下側面にも白色の塗装が施されていて、照り返し効果を出すことで均一な光りが上方にまで届くように構成されている。
【００２３】
そして、前記第１壁パネルＷ１の内壁板２の複数箇所（当該実施形態では７箇所）、及び、第２壁パネルＷ２の内壁板２の複数箇所（当該実施形態では７箇所）には、壁内部空間Ｓの底部に配設された照明器具５からの光が間接光として透過（通過）する開口部７が形成されているとともに、各開口部７には、両壁パネルＷ１、Ｗ２の壁面の一部を形成する開閉操作自在な非透光性( 遮光性) の可動壁部８が設けられている。
【００２４】
そのうち、複数の可動壁部８が、開き姿勢に操作されたとき、壁面構成形態とは用途の異なる他の使用形態である家具又は建具構成形態に切替えられるように構成されているとともに、各開口部７とそれを閉止する各可動壁部８の周縁との間の少なくとも一部には、可動壁部８が閉じ姿勢にある状態で照明器具５からの光の透過又は通過を許容する透光部１１が形成されている。
【００２５】
つまり、前記第１壁パネルＷ１には、開口部７としての第１〜第７開口部７Ａ〜７Ｇ、これを開閉する可動壁部８としての第１〜第７可動壁部８Ａ〜８Ｇ、収納部６としての第１〜第７収納部６Ａ〜６Ｇ、及び、透光部１１としての第１〜第７貫通穴１１Ａ〜１１Ｇが装備されていて、複数の家具又は建具構成形態を選択的に現出操作自在な家具又は建具ユニットに構成されている。
【００２６】
前記第１可動壁部８Ａは、第１壁パネルＷ１に対して下辺側の水平軸芯周りで揺動開閉自在で、かつ、壁面構成形態である鉛直姿勢（閉じ姿勢）から水平姿勢に開き操作されたとき、家具又は建具構成形態の一例（具体的には、家具構成形態の一例）であるテーブル板（家具の一例）として使用される又は機能するように構成されているとともに、この第１可動壁部８Ａに対応する内壁板２の裏面側には、第１開口部７Ａを通して前方に開口する透明又は半透明な合成樹脂（アクリル樹脂等）製又はガラス製の第１収納ケース９Ａを取付けて、第１可動壁部８Ａで開閉される透光性の第１収納部６Ａが構成されている。
【００２７】
また、前記第１貫通穴（透光穴）１１Ａは、閉じ姿勢にある第1 可動壁部８Ａの上側辺と第1 開口部７Ａの上側縁との間に沿って指掛け可能な幅でストライプ状に形成されている。
【００２８】
前記第２可動壁部８Ｂは、第１壁パネルＷ１に対して下辺側の水平軸芯周りで揺動開閉自在で、かつ、壁面構成形態である鉛直姿勢から水平姿勢に開き操作されたとき、家具又は建具構成形態の一例（具体的には、家具構成形態の一例）である腰掛け用座板（家具の一例）として使用される又は機能するように構成されているとともに、この第２可動壁部８Ｂに対応する内壁板２の裏面側には、第２開口部７Ｂを通して前方に開口する透明又は半透明な合成樹脂（アクリル樹脂等）製又はガラス製の第２収納ケース９Ｂを取付けて、第２可動壁部８Ｂで開閉される透光性の第２収納部６Ｂが構成されている。
【００２９】
また、前記第２貫通穴（透光穴）１１Ｂは、閉じ姿勢にある第２可動壁部８Ｂの上側辺と第２開口部７Ｂの上側縁との間に沿って指掛け可能な幅でストライプ状に形成されている。
【００３０】
前記第３可動壁部８Ｃは、第１壁パネルＷ１に対して左辺側の縦軸芯周りで揺動開閉自在で、かつ、壁面構成形態である鉛直姿勢から前方側に所定角度（１２０度）だけ開き操作されたとき、開き姿勢にある第２可動壁部８Ｂを下方から載置支持する家具又は建具構成形態の一例（具体的には、家具構成形態の一例）である脚板（家具の一例）として使用される又は機能するように構成されているとともに、この第３可動壁部８Ｃに対応する内壁板２の裏面側には、第３開口部７Ｃを通して前方に開口する透明又は半透明な合成樹脂（アクリル樹脂等）製又はガラス製の第３収納ケース９Ｃを取付けて、第３可動壁部８Ｃで開閉される透光性の第３収納部６Ｃが構成されている。
【００３１】
また、前記第３貫通穴（透光穴）１１Ｃは、閉じ姿勢にある第３可動壁部８Ｃの右側辺の上部（一部）と第３開口部７Ｃの右側縁部分との間に沿って指掛け可能な幅でストライプ状に形成されている。
【００３２】
前記第４可動壁部８Ｄは、第１壁パネルＷ１に対して右辺側の縦軸芯周りで揺動開閉自在で、かつ、家具又は建具構成形態の一例（具体的には、建具構成形態の一例）である上部の第４収納部６Ｄの扉体（建具の一例）として使用される又は機能するように構成されているとともに、前記第４収納部６Ｄは、第４可動壁部８Ｄに対応する内壁板２の裏面側に、第４開口部７Ｄを通して前方に開口する透明又は半透明な合成樹脂（アクリル樹脂等）製又はガラス製の第４収納ケース９Ｄを取付けて構成されている。
【００３３】
また、前記第４貫通穴（透光穴）１１Ｄは、閉じ姿勢にある第４可動壁部８Ｄの左側辺と第４開口部７Ｄの左側縁との間に沿って指掛け可能な幅でストライプ状に形成されている。
【００３４】
前記第５可動壁部８Ｅは、第１壁パネルＷ１に対して下辺側の横軸芯周りで揺動開閉自在で、かつ、壁面構成形態である鉛直姿勢から水平姿勢に開き操作されたとき、家具又は建具構成形態の一例である棚板として使用される又は機能するように構成されているとともに、この第５可動壁部８Ｅに対応する内壁板２の裏面側には、第５開口部７Ｅを通して前方に開口する透明又は半透明な合成樹脂  （アクリル樹脂等）製又はガラス製の第５収納ケース９Ｅを取付けて、第５可動壁部８Ｅで開閉される透光性の第５収納部６Ｅが構成されている。
【００３５】
また、前記第５貫通穴（透光穴）１１Ｅは、閉じ姿勢にある第５可動壁部８Ｅの上側辺と第５開口部７Ｅの上側縁との間に沿って指掛け可能な幅でストライプ状に形成されている。
【００３６】
前記第６可動壁部８Ｆは、第１壁パネルＷ１に対して右辺側の縦軸芯周りで揺動開閉自在で、かつ、家具又は建具構成形態の一例である縦長の第６収納部６Ｆの扉体として使用される又は機能するように構成されているとともに、前記第６収納部６Ｆは、第６可動壁部８Ｆに対応する内壁板２の裏面側に、第６開口部７Ｆを通して前方に開口する透明又は半透明な合成樹脂（アクリル樹脂等）製又はガラス製の第６収納ケース９Ｆを取付けて構成されている。
【００３７】
また、前記第６貫通穴（透光穴）１１Ｆは、閉じ姿勢にある第６可動壁部８Ｆの左側辺と第６開口部７Ｆの左側縁との間に沿って指掛け可能な幅でストライプ状に形成されている。
【００３８】
前記第７可動壁部８Ｇは、第１壁パネルＷ１に対して左辺側の縦軸芯周りで揺動開閉自在で、かつ、家具又は建具構成形態の一例である横長の第７収納部６Ｇの扉体として使用される又は機能するように構成されているとともに、前記第７収納部６Ｇは、第７可動壁部８Ｇに対応する内壁板２の裏面側に、第７開口部７Ｇを通して前方に開口する透明又は半透明な合成樹脂（アクリル樹脂等）製又はガラス製の第７収納ケース９Ｇを取付けて構成されている。
【００３９】
また、前記第７貫通穴（透光穴）１１Ｇは、閉じ姿勢にある第７可動壁部８Ｇの右側辺と第７開口部７Ｇの右側縁との間に沿って指掛け可能な幅でストライプ状に形成されている。
【００４０】
次に、前記第２壁パネルＷ２には、開口部７としての第８〜第１４開口部７Ｈ〜７Ｎ、これを開閉する可動壁部８としての第８〜第１４可動壁部８Ｈ〜８Ｎ、収納部６としての第８〜第１４収納部６Ｈ〜６Ｎ、及び、透光部１１としての第８〜第１４貫通穴１１Ｈ〜１１Ｎが装備されていて、複数の家具又は建具構成形態を選択的に現出操作自在な家具又は建具ユニットに構成されている。
【００４１】
前記第８可動壁部８Ｈは、第２壁パネルＷ２に対して左辺側の縦軸芯周りで揺動開閉自在で、かつ、家具又は建具構成形態の一例である上部の第８収納部６Ｈの扉体として使用される又は機能するように構成されているとともに、前記第８収納部６Ｈは、第８可動壁部８Ｈに対応する内壁板２の裏面側に、第８開口部７Ｈを通して前方に開口する透明又は半透明な合成樹脂（アクリル樹脂等）製又はガラス製の第８収納ケース９Ｈを取付けて構成されている。
【００４２】
また、前記第８収納ケース９Ｈ内には、装飾品等を載置する透明又は半透明な合成樹脂（アクリル樹脂等）製又はガラス製の棚板１０が脱着自在に設けられているとともに、前記第８貫通穴（透光穴）１１Ｈが、閉じ姿勢にある第８可動壁部８Ｈの右側辺と第８開口部７Ｈの右側縁との間に沿って指掛け可能な幅でストライプ状に形成されている。
【００４３】
前記第９可動壁部８Ｉは、第２壁パネルＷ２に対して右辺側の縦軸芯周りで揺動開閉自在で、かつ、壁面構成形態である鉛直姿勢から前方側に所定角度（９００度）だけ開き操作されたとき、開き姿勢にあるテーブル板としての第１可動壁部８Ａを下方から載置支持する家具又は建具構成形態の一例である脚板として使用される又は機能するように構成されているとともに、この第９可動壁部８Ｉに対応する内壁板２の裏面側には、第９開口部７Ｉを通して前方に開口する透明又は半透明な合成樹脂（アクリル樹脂等）製又はガラス製の第９収納ケース９Ｉを取付けて、第９可動壁部８Ｉで開閉される透光性の第９収納部６Ｉが構成されている。
【００４４】
また、前記第９貫通穴（透光穴）１１Ｉは、閉じ姿勢にある第９可動壁部８Ｉの左側辺と第９開口部７Ｉの左側縁との間に沿って指掛け可能な幅でストライプ状に形成されている。
【００４５】
前記第１０可動壁部８Ｊは、第２壁パネルＷ２に対して下辺側の水平軸芯周りで揺動開閉自在で、かつ、壁面構成形態である鉛直姿勢から水平姿勢に開き操作されたとき、家具又は建具構成形態の一例である腰掛け用座板として使用される又は機能するように構成されているとともに、この第１０可動壁部８Ｊに対応する内壁板２の裏面側には、第１０開口部７Ｊを通して前方に開口する透明又は半透明な合成樹脂（アクリル樹脂等）製又はガラス製の第１０収納ケース９Ｊを取付けて、第１０可動壁部８Ｊで開閉される透光性の第１０収納部６Ｊが構成されている。
【００４６】
また、前記第１０貫通穴（透光穴）１１Ｊは、閉じ姿勢にある第１０可動壁部８Ｊの上側辺と第１０開口部７Ｊの上側縁との間に沿って指掛け可能な幅でストライプ状に形成されている。
【００４７】
前記第１１可動壁部８Ｋは、第２壁パネルＷ２に対して右辺側の縦軸芯周りで揺動開閉自在で、かつ、壁面構成形態である鉛直姿勢から前方側に所定角度（１２０度）だけ開き操作したとき、開き姿勢にある第１０可動壁部８Ｊを下方から載置支持する家具又は建具構成形態の一例である脚板として使用される又は機能するように構成されているとともに、この第１１可動壁部８Ｋに対応する内壁板２の裏面側には、第１１開口部７Ｋを通して前方に開口する透明又は半透明な合成樹脂（アクリル樹脂等）製又はガラス製の第１１収納ケース９Ｋを取付けて、第１１可動壁部８Ｋで開閉される透光性の第１１収納部６Ｋが構成されている。
【００４８】
また、前記第１１貫通穴（透光穴）１１Ｋは、閉じ姿勢にある第１１可動壁部８Ｋの左側辺の上部（一部）とこれに対応する第１１開口部７Ｋの左側縁部分との間に沿って指掛け可能な幅でストライプ状に形成されている。
【００４９】
前記第１２可動壁部８Ｌは、第２壁パネルＷ２に対して左辺側の縦軸芯周りで揺動開閉自在で、かつ、家具又は建具構成形態の一例である縦長の第１２収納部６Ｌの扉体として使用される又は機能するように構成されているとともに、前記第１２収納部６Ｌは、第１２可動壁部８Ｌに対応する内壁板２の裏面側に、第１２開口部７Ｌを通して前方に開口する透明又は半透明な合成樹脂（アクリル樹脂等）製又はガラス製の第１２収納ケース９Ｌを取付けて構成されている。
【００５０】
前記第１２貫通穴（透光穴）１１Ｌは、閉じ姿勢にある第１２可動壁部８Ｌの右側辺と第１２開口部７Ｌの右側縁との間に沿って指掛け可能な幅でストライプ状に形成されている。
【００５１】
前記第１３可動壁部８Ｍは、第２壁パネルＷ２に対して下辺側の横軸芯周りで揺動開閉自在で、かつ、壁面構成形態である鉛直姿勢から水平姿勢に開き操作されたとき、家具又は建具構成形態の一例（具体的には、家具構成形態の一例）である棚板（家具の一例）として使用される又は機能するように構成されているとともに、この第１３可動壁部８Ｍに対応する内壁板２の裏面側には、第１３開口部７Ｍを通して前方に開口する透明又は半透明な合成樹脂（アクリル樹脂等）製又はガラス製の第１３収納ケース９Ｍを取付けて、第１３可動壁部８Ｍで開閉される透光性の第１３収納部６Ｍが構成されている。
【００５２】
前記第１３貫通穴（透光穴）１１Ｍは、閉じ姿勢にある第１３可動壁部８Ｍの上側辺と第１３開口部７Ｍの上側縁との間に沿って指掛け可能な幅でストライプ状に形成されている。
【００５３】
前記第１４可動壁部８Ｎは、第２壁パネルＷ２に対して左辺側の縦軸芯周りで揺動開閉自在で、かつ、家具又は建具構成形態の一例である縦長の第１４収納部６Ｎの扉体として使用される又は機能するように構成されているとともに、前記第１４収納部６Ｎは、第１４可動壁部８Ｎに対応する内壁板２の裏面側に、第１４開口部７Ｎを通して前方に開口する透明又は半透明な合成樹脂（アクリル樹脂等）製又はガラス製の第１４収納ケース９Ｎを取付けて構成されている。
【００５４】
前記第１４貫通穴（透光穴）１１Ｎは、閉じ姿勢にある第１４可動壁部８Ｎの右側辺と第１４開口部７Ｎの右側縁との間に沿って指掛け可能な幅でストライプ状に形成されている。
【００５５】
前記第３壁パネルＷ３は、図７〜図９に示すように、垂木等で枠組みした構造体１の表裏両面に、化粧合板（例えば、軽量化に優れたシナランバーコアボード）等の内壁板２を取付けて構成されているとともに、両内壁板２に亘って形成された出入口部7 Ｐの周縁のうち、左右の縦框部には、閉じ姿勢にある回転扉Ｄの端面に向かって開口する壁内部空間Ｓの一例である凹部Ｓ１が形成されている。
【００５６】
前記各凹部Ｓ１内には、照明器具5 の一例である蛍光灯（例えば、商品名  シームレスライン）が上下方向姿勢で配設されているとともに、各凹部Ｓ１の開口位置には、光を出入口部7 Ｐに向かって均一に拡散させるための乳白色のアクリル樹脂製のランプカバー１5 が設けられていて、前記出入口部7 Ｐが、各凹部Ｓ１に配設された照明器具５からの光が直接光又は間接光として透過（通過）する開口部７に構成されている。
【００５７】
そして、前記回転扉Ｄが、第３壁パネルＷ３の壁面の一部を形成する開閉操作自在な非透光性( 遮光性) の第１５可動壁部８Ｐに兼用構成されている、換言すれば、壁面構成形態と家具又は建具構成形態（具体的には、建具構成形態）とに切替操作自在な第１５可動壁部８Ｐに兼用構成されているとともに、出入口部７Ｐの縦框部と閉じ姿勢にある回転扉Ｄの端面（周縁）との間には、回転扉Ｄが閉じ姿勢にある状態で照明器具５からの光の透過又は通過を許容する透光部１１としての第１５貫通穴（透光穴）１１Ｐが形成されている。
【００５８】
前記第１５貫通穴１１Ｐは、閉じ姿勢にある回転扉Ｄの左右両側辺と出入口部7 Ｐの両縦框部との間にそれぞれ沿って指掛け可能な幅でストライプ状に形成されている。
【００５９】
前記第３壁パネルＷ３には、開口部７としての出入口部７Ｐ、これを開閉する可動壁部８としての回転扉Ｄ、及び、透光部１１としての第１５貫通穴１１Ｐが装備されていて、家具又は建具構成形態を選択的に現出操作自在な家具又は建具ユニットに構成されている。
【００６０】
また、前記回転扉Ｄ及び縦軸芯周りで揺動開閉自在な比較的大きな可動壁部８Ｆ，８Ｌを開き姿勢に選択的に操作することにより、室内を人の好みに応じて小割形成することができる。
【００６１】
〔実施例〕
前記第１・第２壁パネルＷ１、Ｗ２の各々は、幅が１２２０ｍｍ、高さが２１００ｍｍ、奥行きが３１８ｍｍに構成されている。
また、第１・第２壁パネルＷ１、Ｗ２の構造体１を構成する垂木は３０ｍｍ×４５ｍｍのものを使用し、内壁板２の厚みは１８ｍｍ、各貫通穴（透光穴）１１の幅（隙間）は２０ｍｍにそれぞれ設定されているとともに、ランプカバー１２の厚みは３ｍｍで、足元からの高さが４００ｍｍに設定されている。
【００６２】
前記第３壁パネルＷ３は、幅が４２００ｍｍ、高さが２１００ｍｍ、奥行きが５７ｍｍに構成されているとともに、内壁板２の厚みは４ｍｍ、各貫通穴（透光穴）１１の幅（隙間）は２０ｍｍ、ランプカバー１５の厚みは３ｍｍにそれぞれ設定されている。
【００６３】
尚、前記第１・第２壁パネルＷ１、Ｗ２の各々を１２２０ｍｍ×２１００ｍｍ×３１８ｍｍのユニット家具として製作することにより、持ち運んで任意の箇所に設置することができる。
また、前記第１・第２壁パネルＷ１、Ｗ２の高さは、施工現場の天井高さや使用目的等に応じて任意に設定することができる。
【００６４】
〔第２実施形態〕
上述の第１実施形態では、椅子を構成するにあたって、腰掛け用座板として使用される第２可動壁部８Ｂと、この第２可動壁部８Ｂを載置支持するための脚板として使用される第３可動壁部８Ｃとの組合せから構成したが、図１０、図１１に示すように、第１壁パネルＷ１に、上辺から少し下方に偏位した横軸芯周りで揺動開閉自在で、かつ、壁面構成形態である鉛直姿勢から水平姿勢に開き操作されたとき、家具又は建具構成形態の一例である腰掛け用座板として使用される又は機能する第２可動壁部８Ｂを取付けるとともに、この第２可動壁部８Ｂの背面に、起伏揺動自在な脚部材１５を取付けて構成してもよい。
【００６５】
要するに、腰掛け用座板として使用される第２可動壁部８Ｂや第１０可動壁部８Ｊ、或いは、テーブル板として使用される第1 可動壁部８Ａの支持構造としては種々変更可能である。
尚、その他の構成は、第１実施形態で説明した構成と同一であるから、同一の構成箇所には、第１実施形態と同一の番号を付記してそれの説明は省略する。
【００６６】
〔第３実施形態〕
上述の第１実施形態では、可動壁部８が閉じ姿勢にある状態で照明器具５からの光の透過又は通過を許容する透光部１１を、閉じ姿勢にある可動壁部8 の周縁と壁体Ｗの開口部7 との間の少なくとも一部に形成され貫通穴（１１Ａ〜１１Ｐ）から構成したが、図１２に示すように、各貫通穴（１１Ａ〜１１Ｐ）と同じ大きさの透明又は半透明な合成樹脂製の透光体１１Ｑから構成して、この透光体１１Ｑを、可動壁部８の周縁又は開口部7 の周縁の特定箇所に取付けてもよい。
【００６７】
また、前記透光体１１Ｑには、可動壁部８を開閉操作するための凹部１１ａが形成されている。
尚、その他の構成は、第１実施形態で説明した構成と同一であるから、同一の構成箇所には、第１実施形態と同一の番号を付記してそれの説明は省略する。
【００６８】
〔その他の実施形態〕
（１）上述の第１実施形態では、前記壁体Ｗを、ユニット家具又は建具として取扱いが可能な壁パネルＷ１，Ｗ２，Ｗ３から構成したが、壁体Ｗとしては、躯体の一部となる固定壁の一部又は全部であってもよい。
例えば、部屋に面する壁面を利用して造り付ける場合では、壁面を白色に塗装し、この箇所に垂木等で枠組みした構造体１を取付けた後、この構造体１の表面に、シナランバーコアボード等の内壁板２を取付ける。
要するに、前記壁体Ｗとしては、壁裏面側（室内壁面よりも裏面側に位置すればよい）に配設された照明器具５からの光が透過する複数の開口部７を形成可能な大きさを備えていればよい。
【００６９】
（２）上述の第１実施形態では、照明器具５を複数個のミニレフランプ又は蛍光灯から構成したが、白熱球等の他の光源から構成してもよい。
【００７０】
（３）上述の第１実施形態では、前記貫通穴１１Ａ〜１１Ｐを、閉じ姿勢にある可動壁部8 の一側縁とそれに対応する開口部7 の一側縁との間にストライプ状に形成したが、この貫通穴１１Ａ〜１１Ｐは、閉じ姿勢にある可動壁部8 の周縁と壁体Ｗの開口部７との間の少なくとも一部に形成されていればよい。
【００７１】
（４）上述の第１実施形態では、可動壁部８に対応する内壁板２の裏面側に、開口部７を通して前方に開口する透明又は半透明な合成樹脂（アクリル樹脂等）製又はガラス製の収納ケース９を取付けて、全体が透光性の収納部６を構成したが、この収納部６の必要とする部位だけを透光可能に構成してもよい。
【００７２】
（５）上述の第１実施形態では、壁体Ｗの開口部７の全てに収納ケース９を取付けて、各開口部７毎に収納部６を区画形成したが、最小限必要とする開口部７のみに収納ケース９を取付けてもよく、また、複数の開口部７を一つの収納部６で纏めて構成してもよい。
【００７３】
（６）上述の第１実施形態では、可動壁部８の外寸法を開口部７の内寸法よりも所定寸法だけ短く形成して、各開口部７とそれを閉止する各可動壁部８の周縁との間の少なくとも一部に、可動壁部８が閉じ姿勢にある状態で照明器具５からの光の透過又は通過を許容する透光部１１として、指掛け可能な幅でストライプ状の貫通穴（隙間）を形成したが、この構成に限定されるものではなく、例えば、可動壁部８の外寸法を、開閉可能な範囲で開口部７の内寸法に近い寸法に形成するとともに、この可動壁部８自体に、前記透光部１１としてのスリット状等の貫通孔を形成してもよい。
また、上述の第１実施形態では、透光部１１をストライプ状（縞状、筋状、条状を含む）に形成したが、この形状に限定されるものではなく、連続又は断続する任意の形状に形成することができる。
【図面の簡単な説明】
【図１】本発明の壁構造の第１実施形態を示し、第１〜第１４貫通穴１１Ａ〜１１Ｎからの透光状態図を分離掲載した全体の斜視図
【図２】第１〜第１４可動壁部８Ａ〜８Ｎを開き操作したときの斜視図
【図３】要部の開き操作手順を示す斜視図
【図４】第１〜第１４収納部６Ａ〜６Ｎを示す斜視図
【図５】可動壁部が閉じ姿勢にあるときの拡大断面図
【図６】可動壁部が開き姿勢にあるときの拡大断面図
【図７】第１５貫通穴１１Ｐからの透光状態図を分離掲載した第３壁パネルの斜視図
【図８】回転扉を開き操作したときの第３壁パネルの斜視図
【図９】第３壁パネルの要部の水平拡大断面図
【図１０】本発明の壁構造の第２実施形態を示し、可動壁部が閉じ姿勢にあるときの要部の斜視図
【図１１】可動壁部が開き姿勢にあるときの要部の斜視図
【図１２】本発明の壁構造の第３実施形態を示す要部の拡大正面図
【符号の説明】
Ｗ            壁体
Ｗ１          第１壁パネル
Ｗ２          第２壁パネル
Ｗ３          第３壁パネル
５            照明器具
７            開口部
７Ａ〜７Ｎ    第１〜第１４開口部
７Ｐ          出入口部
８            可動壁部
８Ａ〜８Ｐ    第１〜第１５可動壁部
１１          透光部
１１Ａ〜１１Ｐ  第１〜第１５貫通穴
【図１】
0004408575.tif 000002
【図２】
0004408575.tif 000003
【図３】
0004408575.tif 000004
【図４】
0004408575.tif 000005
【図５】
0004408575.tif 000006
【図６】
0004408575.tif 000007
【図７】
0004408575.tif 000008
【図８】
0004408575.tif 000009
【図９】
0004408575.tif 000010
【図１０】
0004408575.tif 000011
【図１１】
0004408575.tif 000012
【図１２】
0004408575.tif 000013